(57)【特許請求の範囲】
【請求項１】
家具（１）のフラップ扉（４）を移動させるための作動装置（５）であって、
前記フラップ扉（４）を移動させるべく旋回可能に設けられた少なくとも１本の作動アーム（６）と、
開方向への旋回モーメントを前記作動アーム（６）に作用させるバネ装置（８）と、
ネジ山（２１）を具備した調節ネジ（１１）を有する調節装置（２０）と、
を備えると共に、
前記作動アーム（６）に作用する前記バネ装置（８）の旋回モーメントが前記調節ネジ（１１）の回転運動によって調節可能であり、
前記調節ネジ（１１）がネジ軸（９）を有し、ネジ用のナット（１０）が、前記調節ネジ（１１）の回転運動によって前記ネジ軸（９）に沿って移動可能に取り付けられている、作動装置（５）において、
前記調節ネジ（１１）は、前記ネジ山（２１）から分離していると共に前記調節ネジ（１１）の意図しない回転運動を防止する抑制装置（１９）を有しており、
前記抑制装置（１９）は、前記調節ネジ（１１）に配置され且つ当該作動装置（５）の支持手段（１３）と協働する表面要素（１８）によって形成されている、ことを特徴とする作動装置。
【請求項２】
前記表面要素（１８）は、前記調節ネジ（１１）のネジ頭（１１ａ）の下側および／または周辺縁に形成または配置されていることを特徴とする請求項１に記載の作動装置。
【請求項３】
前記表面要素（１８）は、ノブ形態、溝形態、歯形態、点形態、上昇部形態（盛り上がった形態）、凹部形態、および／または、起伏した構造形態であることを特徴とする請求項１又は２に記載の作動装置。
【請求項４】
前記調節ネジ（１１）は、前記表面要素（１８）によって所定の回転位置に位置決めされることを特徴とする請求項１〜３のいずれか一項に記載の作動装置。
【請求項５】
前記ネジ山（２１）は、２条以上の突条（２１ａ，２１ｂ）であることを特徴とする請求項１〜４のいずれか一項に記載の作動装置。
【請求項６】
前記バネ装置（８）は前記ナット（１０）に作用することを特徴とする請求項１〜５のいずれか一項に記載の作動装置。
【請求項７】
前記調節ネジ（１１）は、回転軸（Ｐ）を中心として旋回可能な作動レバー（７）に取り付けられており、前記作動レバー（７）の前記回転軸（Ｐ）に対する前記バネ装置（８）の係合点の位置は、前記調節ネジ（１１）の回転運動によって所定の制限範囲内で変位可能であることを特徴とする請求項１〜６のいずれか一項に記載の作動装置。
【請求項８】
前記バネ装置（８）は、前記作動アーム（６）に作用する少なくとも１つのコイルバネを有する、ことを特徴とする請求項１〜７のいずれか一項に記載の作動装置。
【請求項９】
請求項１〜８のいずれか一項に記載の作動装置（５）と、家具（１）のフラップ扉（４）とを備えた構造体。
【請求項１０】
前記作動アーム（６）の第１端部は、旋回軸（Ｓ）を介して家具枠体（２）の側壁（３）にヒンジ方式で接続されており、前記作動アーム（６）の第２端部は、前記フラップ扉（４）に接続されていることを特徴とする請求項９に記載の構造体。
【発明の詳細な説明】
【技術分野】
【０００１】
本発明は、家具のフラップ扉(flap)を移動させるための作動装置(actuating drive)に関する。この装置は、フラップ扉を移動させるよう旋回可能に設けられた少なくとも１本の作動アームと、開方向への旋回モーメントを作動アームに作用させるバネ装置と、ネジ山を有した調節ネジを備えた調節装置とを含んでおり、作動アームに作用するバネ装置の旋回モーメントが調節ネジの回転運動によって調節可能であり、調節ネジはネジ軸を有しており、ネジ用のナットが調節ネジの回転運動によってネジ軸に沿って移動可能に取り付けられたものである。
【０００２】
本発明は更に、以下で解説するような種類の作動装置と、当該作動装置によって垂直な閉位置と上方移動した開位置との間で移動可能に取り付けられた家具のフラップ扉とを備えた構造体に関するものである。
【背景技術】
【０００３】
作動アームと、フラップ扉の重量を補償するために作動アームに作用するバネ装置と、作動アームに作用する旋回モーメントを調節するための調節装置とを含んだ作動装置は、例えば本件出願人のＷＯ２００６／００５０８６Ａ１に説明されている。この作動装置は、圧力ローラ及び作動形状部（輪郭）によって作動アームを旋回させるよう旋回可能に取り付けられた中間レバーを含んでおり、中間レバーの回転軸に対するバネ装置の係合点の距離は、調節装置によって連続的に調節可能である。この目的のため、調節装置は、回転可能に取り付けられたネジ山が切られた軸（スピンドル）を含むことができ、ネジ山付き軸に対するバネ装置の係合点は、その回転によって所定の制限範囲内で調節可能である。しかしながら、ネジ山付き軸に沿ったバネ係合点の移動（変位）は比較的ゆっくりと実行される、というのも、バネ力の相当程度の調節はネジ山付き軸の対応した多くの回転を必要とするからである。加えて、バネ力の僅かばかりの調節は、バネ力を調節する人にとって制御困難であり、しばしば、ほとんど認識できない（程度である）。
【０００４】
ＤＥ２０  ２００５  ０１５  ００２Ｕ１は、バネ要素によって予備付勢された回転軸部分を備えたバネ扉（用の）帯を開示している。この回転軸部分にはネジ山が設けられており、バネ要素の予備付勢は可変であり、回転軸部分をヒンジスリーブに対してネジ回し式に回して出し入れすることによって調節できる。回転軸部分の軸状および放射状部分は止めネジによって固定できる。
【先行技術文献】
【特許文献】
【０００５】
【特許文献１】ＷＯ２００６／００５０８６Ａ１
【特許文献２】ＤＥ２０  ２００５  ０１５  ００２Ｕ１
【発明の概要】
【発明が解決しようとする課題】
【０００６】
本発明の目的の一つは、本明細書の冒頭部分で述べたような一般的性質の作動装置であり、そのバネ力の調節を簡易化された作動装置を提供することにある。
【課題を解決するための手段】
【０００７】
本発明によれば、これは請求項１に記載の特徴によって達成できる。別な有利な実施態様は従属請求項に述べられている。
【０００８】
本発明によれば、調節ネジは、ネジ山から分離されると共に調節ネジの意図しない回転運動を防止する抑制装置を有している。
【０００９】
調節ネジのネジ山から分離された抑制装置とは、大きな調節ストロークのために、標準のネジ山よりもハイピッチな対応するネジ山勾配を有する調節ネジまたはネジ山付き軸を使用することも可能であることを意味する。そのようなハイピッチ勾配（標準のネジ山と比較して２倍または複数倍のピッチ勾配を備えた）のネジ山は、しかしながら、標準のネジ山に対して僅かながら自己ロック作用も有しており、この理由から本発明では、調節ネジの制御された調節は許容するが、調節ネジの意図しない移動を防止する抑制装置が提供されている。そのような非制御的移動は、使用位置において作動アームに接続された家具のフラップ扉が複数回開閉されることで頻繁に発生し、それによって調節ネジが意図に反して回転される。本願で提供される抑制装置は、調節ネジのそのような非制御的移動をほぼ防止することができる。
【００１０】
本発明の一実施態様では、抑制装置は、調節ネジと、好適には収容体（ハウジング）に対して固定された作動装置の支持手段との間で作動可能である。
【００１１】
この場合、抑制装置は、調節ネジ上に形成または配置されると共に作動装置の支持手段と協調（協働）する表面要素を含むことができる。これらの表面要素は、調節ネジのネジ頭に、好ましくはその下側および／または周辺縁に、形成または配置できる。作用力ロック関係および／または少なくとも部分的にポジティブなロック関係で、作動装置に提供された支持手段と相互作用する、ノブ形態、溝形態、歯形態、点形態、上昇部形態、凹部形態および／または起伏した構造形態の表面要素などの変形例が可能である。
【００１２】
本発明の別な実施態様では、ネジ頭が機械的バネ要素による作用力を受けることで、調節ネジの制御された調節が可能となり、ネジの非制御的移動が、ネジ頭に作用するバネ力の存在によって防止される。
【００１３】
本発明による構造体は、この種の作動装置と、垂直な閉位置と上方移動した開位置との間で作動装置によって移動可能に取り付けられた家具のフラップ扉とを有している。
【００１４】
本発明のさらなる詳細と利点は、以降の詳細な説明によって解説される。
【図面の簡単な説明】
【００１５】
【図１ａ】図１ａと図１ｂは、家具に対して上方に可動なフラップ扉を備えた家具の斜視図とその拡大詳細図である。
【図１ｂ】図１ａと図１ｂは、家具に対して上方に可動なフラップ扉を備えた家具の斜視図とその拡大詳細図である。
【図２ａ】図２ａと図２ｂは、作動装置の一実施形態の斜視図とその拡大詳細図である。
【図２ｂ】図２ａと図２ｂは、作動装置の一実施形態の斜視図とその拡大詳細図である。
【図３ａ】図３ａと図３ｂは、作動装置の作動レバーに取り付けられた調節装置を示した図とその拡大詳細図である。
【図３ｂ】図３ａと図３ｂは、作動装置の作動レバーに取り付けられた調節装置を示した図とその拡大詳細図である。
【図４ａ】図４ａから図４ｄは、調節ネジの二つの実施形態の様々な図である。
【図４ｂ】図４ａから図４ｄは、調節ネジの二つの実施形態の様々な図である。
【図４ｃ】図４ａから図４ｄは、調節ネジの二つの実施形態の様々な図である。
【図４ｄ】図４ａから図４ｄは、調節ネジの二つの実施形態の様々な図である。
【図５ａ】図５ａから図５ｄは、調節ネジの非制御的な回転を防止するための抑制装置の様々な実施形態を示す。
【図５ｂ】図５ａから図５ｄは、調節ネジの非制御的な回転を防止するための抑制装置の様々な実施形態を示す。
【図５ｃ】図５ａから図５ｄは、調節ネジの非制御的な回転を防止するための抑制装置の様々な実施形態を示す。
【図５ｄ】図５ａから図５ｄは、調節ネジの非制御的な回転を防止するための抑制装置の様々な実施形態を示す。
【発明を実施するための形態】
【００１６】
図１は、家具枠体（家具カーカス）２と、家具枠体２に対して上方に移動可能なフラップ扉４とを備えた家具１の斜視図である。家具１の少なくとも一方の側壁３には、フラップ扉４を移動させるよう旋回可能に取り付けられた作動アーム６を備えた作動装置５が取り付けられている。フラップ扉４の重量を少なくとも部分的に補償するため、開方向への旋回モーメントを作動アーム６に作用させるバネ装置８が設けられている。図示の実施例では、バネ装置８は先ず、回転軸（Ｐ）の周囲に旋回可能に取り付けられた作動レバー７に作用し、その作動レバー７は、ここでは図示されていない伝達機構によって（例えばレバー機構および／またはフラップ扉４の運動に影響を及ぼす作動形状圧力ローラ構造体によって）作動アーム６を旋回させる。
【００１７】
図１ｂは、図１ａの丸で囲んだ領域の拡大図であり、作動アーム６に作用する旋回モーメントを調節するための調節装置２０を示している。バネ装置８は、調節ネジ１１のネジ軸９に沿って移動するように取り付けられたネジ用のナット１０に作用する。調節ネジ１１は作動レバー７に回転可能に取り付けられているが、しかし軸方向にはほぼ非移動式（移動不能）である。作動レバー７は開口部１２を有しており、そこをドライバーが通過して調節ネジ１１のネジ頭に横方向にフィットし、調節ネジ１１にフィットしたドライバーの長手方向と調節ネジ１１の長手軸は約９０°の角度を形成する。ナット１０は人手によって調節ネジ１１を移動させることでネジ軸９に沿って移動し、バネ装置８の係合点の位置が作動レバー７の回転軸（Ｐ）（図１ａ）に対して変化するが、この場合、作動レバー７の回転軸（Ｐ）に対するバネ装置８の係合点は、二頭矢印で示した方向に、そこに向かっておよびそこから離れるように移動できる。符号１３は、調節ネジ１１と協調（協働）する支持手段を示している。
【００１８】
図２ａは、作動装置５の一例の斜視（図）を示している。作動装置５は収容体（ハウジング）１４を有しており、バネ装置８が、バネホルダー１７を介して、収容体１４に固定されているバネ基部１６に支持されている。バネホルダー１７は少なくとも１つ（またはそれ以上）のバネ装置８を収容するように設計されている。バネ装置８は、ナット１０を付勢する少なくとも１つのコイルバネ（特に圧縮バネ）を含んでいる。ナット１０は、調節ネジ１１の回転によって作動レバー７の回転軸（Ｐ）に対してネジ軸９に沿って移動できる。２本アーム式の作動レバー７は、伝達レバー１５ａ、１５ｂ、１５ｃおよび１５ｄによってバネ装置８の作用力を伝達する偏向レバーとして作用し、旋回軸（Ｓ）周囲で作動アーム６を旋回させる。
【００１９】
図２ｂは、図２ａの丸で囲んだ領域の拡大図である。ネジ頭１１ａと、ネジ山を備えた隣接するネジ軸９が図示されている。この図はネジ頭１１ａと支持手段１３との間で作動（作用）する抑制装置１９を示している。この図では、抑制装置１９は、ネジ頭１１ａの下側および／または周辺縁に配置され得る、好適にはノブ形状の表面要素１８を含んでいる。バネ装置８によって作用する力の存在によって、ノブ形状の表面要素１８は収容体１４に対して固定された支持手段１３に押し付けられる。図示の実施例では、支持手段１３は、それにノブ形状の表面要素１８が接するボルトの形態をなす。表面要素１８が調節ネジ１１の回転を抑制するため、表面要素１８が調節ネジ１１の非制御的な移動を防止する。ユーザによって調節ネジ１１が制御された状態で回転する場合には、上反り形態の表面要素１８が支持手段１３にそれぞれ接し、そのことで、ネジ頭１１ａは、支持手段１３に対するノブ形状の表面要素１８の高さだけ、それぞれ一定の間隔で、バネ装置８の力に対抗して持ち上げられ、その結果、調節ネジ１１が所定の回転位置に配置される。抑制装置１９の存在によって、ネジ軸９は、調節ネジ１１の動作時に、ネジ軸９に対するナット１０の迅速な移動を可能にするネジ山を備えることができる。ネジ軸９のネジ山は、例えばハイピッチ勾配の形態、および／または、二条又は多条ネジの形態であってもよい。二条又は多条ネジの使用は、ハイピッチ勾配の単条ネジの場合と比較して、ネジ軸９上のナット１０の台部の荷重支持性能が増加するという利点を有する。
【００２０】
図３ａは、その上に調節装置２０が取り付けられた作動レバー７の斜視図である。使用位置では、作動レバー７は回転軸（Ｐ）の周囲に旋回可能に取り付けられている。複数の表面要素１８が、ボルトの形態の支持手段１３にそれぞれ接するよう、ネジ頭１１ａの周辺縁の領域内に分布するネジ頭１１ａの下側に配置されている。（開口部１２を通過する）ドライバーで移動させると、調節ネジ１１は制御された状態で回転でき、ノブ形状の表面要素１８と支持手段１３との協調（協働）によって制御された移動が可能となるが、これとは対照的に、特に調節ネジ１１のネジ山２１が固有の（生来の）自己ロック作用を有していない場合には、非制御的な移動が防止される。図３ｂは図３ａの丸で囲んだ領域の拡大図である。
【００２１】
図４ａは調節ネジ１１の一実施例の斜視図である。ネジ頭１１ａの下側には、作動装置５の支持手段１３とそれぞれ協調（協働）する複数の表面要素１８が配置されている。ネジ軸９には、通常のネジ山と比較して２倍または複数倍のピッチを有するネジ山２１が提供されている。この場合には、調節ネジ１１を少し回転させるだけで、ナット１０の対応した大きな調節動作をもたらすことが可能である。
【００２２】
図４ｂは、調節ネジ１１の別例を示しており、ネジ山２１は、好適には３条ネジ山２１である多条ネジの形態をなす。図４ｂのネジ山２１のピッチは図４ａのネジ山２１のものと同じ値でもよいが、ネジ上におけるナット１０の台部の荷重支持性能は図４ａの場合と比較して向上している。（なぜなら）ネジ山２１の多条のネジ山はナット１０内に同時的に受領される（からである）。多条ネジ山２１は比較的に大きなネジ山ピッチ角度を有しており、調節ネジ１１の部分的回転によってナット１０の大きな軸移動をもたらすことができる。ネジ山２１が２条ネジ山である場合には、新しいネジ条は１８０°毎に始まり、３条ネジ山２１の場合には、新しいネジ条は１２０°毎に始まる。図４ｃは図４ｂの調節ネジ１１の側面図であり、図４ｄは図４ｃの丸で囲んだ領域の拡大図であり、１２０°移動（変位）した２つのネジ条２１ａと２１ｂはネジ軸９の端部で終結している。ネジ山２１のピッチは少なくとも１．６ｍｍ、好適には少なくとも２．４ｍｍである。
【００２３】
図５ａから図５ｄは、調節ネジ１１の非制御的な回転動作を抑制するための抑制装置の様々な実施例を示している。図５ａでは、調節ネジ１１の非制御的な回転動作を抑制するため、ネジ頭１１ａの下側には支持手段１３に接するノブ形状の表面要素１８が形成されている。図５ｂは、これもネジ頭１１ａの下側に配置されており、支持手段１３と協調（協働）する表面要素１８の起伏構造（レリーフ構造）を示している。図５ｃは長形溝または凹状部分の形態の表面要素１８を示しており、ボルト形態の支持手段１３は、調節ネジ１１が３６０°回転した後に、その溝または凹状部分に押し込まれる。図５ｄは、ネジ頭１１ａの周辺縁に配置された表面要素１８を示しており、図５ｄに示すように、表面要素１８は横方向又は側面の支持手段１３ａと協調（協働）する。その支持手段１３ａは、ネジ頭１１ａの周辺縁を少なくとも部分的に囲み、摩擦クラッチの形態でネジ頭１１ａの周辺縁と協調（協働）し、適用されるべきトルクが過大になると、ネジ頭１１ａが支持手段１３ａに対してスリップする。支持手段１３ａをプラスチック製にすることで、（ユーザによる調節ネジ１１の制御された移動時に）所定のトルクを克服した（トルクに打ち勝った）後に、ネジ頭１１ａは回転可能となる。
【００２４】
本発明は、ここで説明した実施例に限定されるものではなく、添付の「請求の範囲」内に当てはまり得る全ての変形例および技術的均等物にも及ぶものである。例えば、「上」、「下」、「横」などの説明で採用した位置的関係は、直接解説した図に関連したものであり、適宜、変更されるべきものである。
【図１ａ】
0005810175.tif 000002
【図１ｂ】
0005810175.tif 000003
【図２ａ】
0005810175.tif 000004
【図２ｂ】
0005810175.tif 000005
【図３ａ】
0005810175.tif 000006
【図３ｂ】
0005810175.tif 000007
【図４ａ】
0005810175.tif 000008
【図４ｂ】
0005810175.tif 000009
【図４ｃ】
0005810175.tif 000010
【図４ｄ】
0005810175.tif 000011
【図５ａ】
0005810175.tif 000012
【図５ｂ】
0005810175.tif 000013
【図５ｃ】
0005810175.tif 000014
【図５ｄ】
0005810175.tif 000015